【手続補正書】
【提出日】平成26年7月30日(2014.7.30)
【手続補正１】
【補正対象書類名】明細書
【補正対象項目名】０００９
【補正方法】変更
【補正の内容】
【０００９】
本発明の目的を達成するために、例えば、本発明の画像表示装置は次のような構成を有することを特徴としている。即ち、動画像を構成する複数の画像フレームを入力する入力手段と、
前記入力手段により入力された第１画像フレームと第２画像フレームとから、該第１及び第２画像フレームの間の動き量を示す動き情報を検出する検出手段と、
前記動き情報に応じて前記第１及び第２画像フレームの間に表示されるべき補間画像フレームを生成する生成手段と、
前記補間画像フレームの表示のために表示画面のバックライトを制御する制御手段であって、前記動き量が閾値以上の領域に対する前記バックライトの点灯時間が、前記動き量が閾値未満の領域に対する前記バックライトの点灯時間よりも短くなるように、前記バックライトの制御を行う前記制御手段と
を有することを特徴とする。
【手続補正２】
【補正対象書類名】特許請求の範囲
【補正対象項目名】全文
【補正方法】変更
【補正の内容】
【特許請求の範囲】
【請求項１】
動画像を構成する複数の画像フレームを入力する入力手段と、
前記入力手段により入力された第１画像フレームと第２画像フレームとから、該第１及び第２画像フレームの間の動き量を示す動き情報を検出する検出手段と、
前記動き情報に応じて前記第１及び第２画像フレームの間に表示されるべき補間画像フレームを生成する生成手段と、
前記補間画像フレームの表示のために表示画面のバックライトを制御する制御手段であって、前記動き量が閾値以上の領域に対する前記バックライトの点灯時間が、前記動き量が閾値未満の領域に対する前記バックライトの点灯時間よりも短くなるように、前記バックライトの制御を行う前記制御手段と
を有することを特徴とする画像表示装置。
【請求項２】
前記制御手段は、前記動き量が前記閾値以上の領域に対して、前記動き量が閾値未満の領域よりも前記バックライトを明るく点灯させる制御を行うことを特徴とする請求項１に記載の画像表示装置。
【請求項３】
前記第１画像フレームの第１表示タイミングと前記第２画像フレームの第２表示タイミングとの間の表示タイミングに補間画像フレームを表示させるのかそれとも前記第１画像フレームを表示させるのかを、前記動き情報の確度に基づいて決定する決定手段をさらに有することを特徴とする請求項１又は２に記載の画像表示装置。
【請求項４】
前記検出手段は、前記第１画像フレームの着目領域と前記第２画像フレーム内の複数の領域のそれぞれとの差分を比較し、該差分が最も小さい前記第２画像フレーム内の領域に基づいて前記動き情報を検出し、
前記動き情報の確度は、前記第２画像フレーム内の前記複数の領域のうち、前記着目領域との差分が所定の差分よりも小さい領域の数に基づいて判定されることを特徴とする請求項３に記載の画像表示装置。
【請求項５】
前記第１及び第２表示タイミングの間の表示タイミングに前記第１画像フレームを表示させることを前記決定手段が決定した場合、前記制御手段は、前記第１表示タイミングに対応するタイミングで前記バックライトに第１の点灯をさせる制御を行うと共に、前記第１及び第２表示タイミングの間の表示タイミングに対応するタイミングで前記バックライトに前記第１の点灯よりも暗い第２の点灯をさせる制御を行うことを特徴とする請求項３又は４に記載の画像表示装置。
【請求項６】
前記動き情報の確度が所定の確度未満の場合、前記生成手段は、前記補間画像フレームを生成せず、前記制御手段は、前記第１及び第２表示タイミングの間の表示タイミングに対応するタイミングに前記バックライトを点灯させないことを特徴とする請求項３乃至５の何れか１項に記載の画像表示装置。
【請求項７】
動画像を構成する複数の画像フレームを入力する入力手段と、
前記入力手段により入力された第１画像フレームと第２画像フレームとから、該第１及び第２画像フレームの間の動き量を示す動き情報を検出する検出手段と、
前記動き情報に応じて前記第１及び第２画像フレームの間に表示されるべき補間画像フレームを生成する生成手段と、
前記補間画像フレームの表示のために表示画面のバックライトを制御する制御手段であって、前記動き量が閾値以上の領域については、前記閾値未満の領域よりも、前記バックライトを明るく点灯させる前記バックライトの制御を行う前記制御手段と
を有することを特徴とする画像表示装置。
【請求項８】
動画像を構成する複数の画像フレームを入力する入力手段と、
前記入力手段により入力された第１画像フレームと第２画像フレームとから、該第１及び第２画像フレームの間の動き量を示す動き情報を検出する検出手段と、
前記動き情報に応じて前記第１及び第２画像フレームの間に表示されるべき補間画像フレームを生成する生成手段と、
前記第１画像フレームの第１表示タイミングと前記第２画像フレームの第２表示タイミングとの間の表示タイミングに、前記補間画像フレームを表示させるのかそれとも前記第１画像フレーム又は前記第２画像フレームを表示させるのかを、前記動き情報の確度に基づいて決定する決定手段と
を有することを特徴とする画像表示装置。
【請求項９】
画像表示装置が行う画像表示方法であって、
前記画像表示装置の入力手段が、動画像を構成する複数の画像フレームを入力する入力工程と、
前記画像表示装置の検出手段が、前記入力工程で入力された第１画像フレームと第２画像フレームとから、該第１及び第２画像フレームの間の動き量を示す動き情報を検出する検出工程と、
前記画像表示装置の生成手段が、前記動き情報に応じて前記第１及び第２画像フレームの間に表示されるべき補間画像フレームを生成する生成工程と、
前記画像表示装置の制御手段が、前記補間画像フレームの表示のために表示画面のバックライトを制御する制御工程であって、前記動き量が閾値以上の領域に対する前記バックライトの点灯時間が、前記動き量が閾値未満の領域に対する前記バックライトの点灯時間よりも短くなるように、前記バックライトの制御を行う前記制御工程と
を有することを特徴とする画像表示方法。
【請求項１０】
画像表示装置が行う画像表示方法であって、
前記画像表示装置の入力手段が、動画像を構成する複数の画像フレームを入力する入力工程と、
前記画像表示装置の検出手段が、前記入力工程で入力された第１画像フレームと第２画像フレームとから、該第１及び第２画像フレームの間の動き量を示す動き情報を検出する検出工程と、
前記画像表示装置の生成手段が、前記動き情報に応じて前記第１及び第２画像フレームの間に表示されるべき補間画像フレームを生成する生成工程と、
前記画像表示装置の制御手段が、前記補間画像フレームの表示のために表示画面のバックライトを制御する制御工程であって、前記動き量が閾値以上の領域については、前記閾値未満の領域よりも、前記バックライトを明るく点灯させる前記バックライトの制御を行う前記制御工程と
を有することを特徴とする画像表示方法。
【請求項１１】
画像表示装置が行う画像表示方法であって、
前記画像表示装置の入力手段が、動画像を構成する複数の画像フレームを入力する入力工程と、
前記画像表示装置の検出手段が、前記入力工程で入力された第１画像フレームと第２画像フレームとから、該第１及び第２画像フレームの間の動き量を示す動き情報を検出する検出工程と、
前記画像表示装置の生成手段が、前記動き情報に応じて前記第１及び第２画像フレームの間に表示されるべき補間画像フレームを生成する生成工程と、
前記画像表示装置の決定手段が、前記第１画像フレームの第１表示タイミングと前記第２画像フレームの第２表示タイミングとの間の表示タイミングに、前記補間画像フレームを表示させるのかそれとも前記第１画像フレーム又は前記第２画像フレームを表示させるのかを、前記動き情報の確度に基づいて決定する決定工程と
を有することを特徴とする画像表示方法。
【請求項１２】
コンピュータを請求項１乃至８の何れか１項に記載の画像表示装置の各手段して機能させるためのコンピュータプログラム。